(57)【特許請求の範囲】
【請求項１】
被写体の光学像を観察するためのファインダーと、
前記被写体の光学像を画像データとして撮像する撮像手段と、
前記画像データを表示する画像表示手段と、
前記ファインダーに物体が接近したことを検出する検出手段と、
記録媒体に記録された前記画像データを前記画像表示手段に表示する第１の動作モード時と、前記記録媒体に記録された前記画像データを前記画像表示手段に表示することなく前記被写体の撮影を行う第２の動作モード時とで、その機能が切り替わる操作手段と、
前記第１の動作モード時に、前記検出手段によって前記ファインダーへの物体の接近を検出した場合に、前記第２の動作モードとは異なり、前記記録媒体に記録された前記画像データを前記画像表示手段に表示すると共に前記操作手段を前記第２の動作モード時と同じ機能に設定する第３の動作モードに移行する制御を行う制御手段と
を有することを特徴とする撮像装置。
【請求項２】
前記制御手段は、前記第３の動作モード時に、前記操作手段の操作が行われた場合、前記第２の動作モードに移行する制御を行うことを特徴とする請求項１に記載の撮像装置。
【請求項３】
前記被写体の撮影に係る撮影情報を表示する情報表示手段を更に有し、
前記第３の動作モード時には、前記情報表示手段による前記撮影情報の表示を行うことを特徴とする請求項１または２に記載の撮像装置。
【請求項４】
前記制御手段は、前記第３の動作モード時に、前記検出手段によって前記ファインダーへの物体の接近を検出できない場合に、前記第１の動作モードに移行する制御を行うことを特徴とする請求項１乃至３のいずれか１項に記載の撮像装置。
【請求項５】
前記操作手段は、前記第１の動作モード時には、前記画像表示手段に表示している画像データの変倍指示、及び、前記画像表示手段に表示している画像データの変更指示のうちの少なくともいずれかを行う操作部材であることを特徴とする請求項１乃至４のいずれか１項に記載の撮像装置。
【請求項６】
前記操作手段は、前記第２の動作モード時には、露出値を保持する指示、測距エリアを選択する指示、シャッター速度を変更する指示、絞り値を変更する指示、及び、露出補正値を変更する指示のうちの少なくともいずれかを行う操作部材であることを特徴とする請求項１乃至５のいずれか１項に記載の撮像装置。
【請求項７】
被写体の光学像を観察するためのファインダーと、前記被写体の光学像を画像データとして撮像する撮像手段と、前記画像データを表示する画像表示手段と、記録媒体に記録された前記画像データを前記画像表示手段に表示する第１の動作モード時と、前記記録媒体に記録された前記画像データを前記画像表示手段に表示することなく前記被写体の撮影を行う第２の動作モード時とで、その機能が切り替わる操作手段とを有する撮像装置の制御方法であって、
前記ファインダーに物体が接近したことを検出する検出ステップと、
前記第１の動作モード時に、前記検出ステップによって前記ファインダーへの物体の接近を検出した場合に、前記第２の動作モードとは異なり、前記記録媒体に記録された前記画像データを前記画像表示手段に表示すると共に前記操作手段を前記第２の動作モード時と同じ機能に設定する第３の動作モードに移行する制御を行う制御ステップと
を有することを特徴とする撮像装置の制御方法。
【請求項８】
被写体の光学像を観察するためのファインダーと、前記被写体の光学像を画像データとして撮像する撮像手段と、前記画像データを表示する画像表示手段と、記録媒体に記録された前記画像データを前記画像表示手段に表示する第１の動作モード時と、前記記録媒体に記録された前記画像データを前記画像表示手段に表示することなく前記被写体の撮影を行う第２の動作モード時とで、その機能が切り替わる操作手段とを有する撮像装置が備えるコンピュータを、
前記ファインダーに物体が接近したことを検出する検出手段、
前記第１の動作モード時に、前記検出手段によって前記ファインダーへの物体の接近を検出した場合に、前記第２の動作モードとは異なり、前記記録媒体に記録された前記画像データを前記画像表示手段に表示すると共に前記操作手段を前記第２の動作モード時と同じ機能に設定する第３の動作モードに移行する制御を行う制御手段
として機能させるためのプログラム。
【請求項９】
被写体の光学像を観察するためのファインダーと、
前記被写体の光学像を画像データとして撮像する撮像手段と、
前記ファインダーに物体が接近したことを検出する検出手段と、
再生モードの際と撮影モードの際とで異なる動作指示を行うことが可能な操作手段と、
前記再生モード中に前記検出手段によって前記ファインダーへの物体の接近を検出しただけでは前記撮影モードへ移行せず、前記再生モード中に前記検出手段によって前記ファインダーへの物体の接近を検出し、かつ前記操作手段が操作された場合には前記撮影モードに移行するように制御する制御手段と
を有することを特徴とする撮像装置。
【請求項１０】
被写体の光学像を観察するためのファインダーと、前記被写体の光学像を画像データとして撮像する撮像手段と、再生モードの際と撮影モードの際とで異なる動作指示を行うことが可能な操作手段とを有する撮像装置の制御方法であって、
前記ファインダーに物体が接近したことを検出する検出ステップと、
前記再生モード中に前記検出ステップによって前記ファインダーへの物体の接近を検出しただけでは前記撮影モードへ移行せず、前記再生モード中に前記検出ステップによって前記ファインダーへの物体の接近を検出し、かつ前記操作手段が操作された場合には前記撮影モードに移行する制御を行う制御ステップと
を有することを特徴とする撮像装置の制御方法。
【請求項１１】
被写体の光学像を観察するためのファインダーと、前記被写体の光学像を画像データとして撮像する撮像手段と、再生モードの際と撮影モードの際とで異なる動作指示を行うことが可能な操作手段とを有する撮像装置が備えるコンピュータを、
前記ファインダーに物体が接近したことを検出する検出手段、
前記再生モード中に前記検出手段によって前記ファインダーへの物体の接近を検出しただけでは前記撮影モードへ移行せず、前記再生モード中に前記検出手段によって前記ファインダーへの物体の接近を検出し、かつ前記操作手段が操作された場合には前記撮影モードに移行する制御を行う制御手段
として機能させるためのプログラム。
【請求項１２】
請求項８または１１に記載のプログラムを記録したコンピュータ読み取り可能な記録媒体。
【発明の詳細な説明】
【技術分野】
【０００１】
本発明は、その動作の過程において撮影モードや再生モードといった状態遷移を有している撮像装置及びその制御方法、プログラム、並びに、コンピュータ読み取り可能な記録媒体に関するものである。
【背景技術】
【０００２】
ＣＣＤ或いはＣＭＯＳなどの撮像素子により被写体の光学像を光電変換して得られた被写体情報をデジタル情報として記録するデジタルカメラ（撮像装置）が普及している。このデジタルカメラにおいては、被写体を撮影しその画像データを記録するための撮影モードと、記録後の画像データを画像モニターにて再生する再生モードとを有しており、両モード間を撮影者によるカメラの操作に従って遷移するものが多い。
【０００３】
例えば、下記の特許文献１には、このような撮影モードと再生モードとの状態遷移を有するデジタルカメラが提案されている。この特許文献１のデジタルカメラでは、撮影モード状態で再生に関するイベントが発生すると再生モードに移行し、再生モード状態で撮影に関するイベントが発生すると撮影モードに移行するため、両モード間を切り替えるための操作部材が不要であるとされている。
【０００４】
また、特許文献１のデジタルカメラでは、再生モードから撮影モードに移行するイベントとして撮影者がカメラのファインダーに接眼したことの検出が含まれている。また、これとは別に、下記の特許文献２には、撮影者がカメラのファインダーに接眼したことの有無により操作スイッチの機能が切替ることが開示されている。
【０００５】
【特許文献１】特開２００１−２５１５３８号公報
【特許文献２】特開２００２−１２２９２８号公報
【特許文献３】特開平９−１８４９６５号公報
【発明の開示】
【発明が解決しようとする課題】
【０００６】
特許文献１にあるように、撮影者がデジタルカメラのファインダーに接眼したことの検出により再生モードから撮影モードに移行するデジタルカメラの場合に、撮影者が本当に撮影するためにファインダーに接眼したのであれば問題は無い。しかしながら、例えば、撮影済みの画像を再生しながらファインダー像と比較したいためにファインダーを見た場合などに、それだけで撮影モードに移行して再生画像が消灯してしまうと不便である。
【０００７】
また、明るい屋外では、一般的に画像モニターは輝度が不足して見づらい場合が多く、例えば、撮影者が日差しを遮るために手でひさしを作るようにして画像モニターの再生画像を確認することもしばしばである。こうした状況で、撮影者の手がデジタルカメラにおける接眼検出を誤動作させて、撮影モードに移行してしまうこともあり不便であった。
【０００８】
即ち、従来のデジタルカメラ等の撮像装置においては、撮影者の使用状態に応じた最適な撮像装置の動作モードを設定することが困難であるという問題点があった。
【０００９】
本発明は上述の問題点にかんがみてなされたものであり、撮像装置における動作モードを、撮影者の使用状態に応じて最適に設定することを実現する撮像装置及びその制御方法、プログラム、並びに、コンピュータ読み取り可能な記録媒体を提供することを目的とする。
【課題を解決するための手段】
【００１０】
本発明の撮像装置は、被写体の光学像を観察するためのファインダーと、前記被写体の光学像を画像データとして撮像する撮像手段と、前記画像データを表示する画像表示手段と、前記ファインダーに物体が接近したことを検出する検出手段と、記録媒体に記録された前記画像データを前記画像表示手段に表示する第１の動作モード時と、前記記録媒体に記録された前記画像データを前記画像表示手段に表示することなく前記被写体の撮影を行う第２の動作モード時とで、その機能が切り替わる操作手段と、前記第１の動作モード時に、前記検出手段によって前記ファインダーへの物体の接近を検出した場合に、前記第２の動作モードとは異なり、前記記録媒体に記録された前記画像データを前記画像表示手段に表示すると共に前記操作手段を前記第２の動作モード時と同じ機能に設定する第３の動作モードに移行する制御を行う制御手段とを有することを特徴とする。
本発明の撮像装置における他の態様は、被写体の光学像を観察するためのファインダーと、前記被写体の光学像を画像データとして撮像する撮像手段と、前記ファインダーに物体が接近したことを検出する検出手段と、再生モードの際と撮影モードの際とで異なる動作指示を行うことが可能な操作手段と、前記再生モード中に前記検出手段によって前記ファインダーへの物体の接近を検出しただけでは前記撮影モードへ移行せず、前記再生モード中に前記検出手段によって前記ファインダーへの物体の接近を検出し、かつ前記操作手段が操作された場合には前記撮影モードに移行するように制御する制御手段とを有することを特徴とする。
【００１１】
また、本発明は、上述した本発明の撮像装置に対応した制御方法、プログラム、並びに、コンピュータ読み取り可能な記憶媒体を含む。
【発明の効果】
【００１２】
本発明によれば、撮像装置における動作モードを、撮影者の使用状態に応じて最適に設定することが可能となる。
【発明を実施するための最良の形態】
【００１３】
図１は、本発明の実施形態に係るデジタルカメラ（撮像装置）の主として光学的な構成を示す概略断面図である。ここで、図１には、レンズ装置２を交換可能なデジタルカメラが示されている。
【００１４】
図１において、１はカメラ本体、２はレンズ装置であり、本実施形態に係るデジタルカメラは、このカメラ本体１とレンズ装置２を具備して構成されている。
【００１５】
まず、カメラ本体１における内部構成について説明する。
１０は、メカニカルシャッターである。１１は、ローパスフィルターである。１２は、例えばＣＭＯＳやＣＣＤといったエリアの蓄積型光電変換素子からなる撮像素子であり、被写体の光学像を画像データとして撮像する。１３は、半透過性の主ミラーである。１４は、第１の反射ミラーであり、撮影時には主ミラー１３とともに上方に跳ね上がる。１５は、第１の反射ミラー１４による撮像素子１２の撮像面と共役な近軸的結像面である。
【００１６】
１６は、第２の反射ミラーである。１７は、赤外カットフィルターである。１８は、２つの開口部１８Ａ及び１８Ｂを有する絞りである。１９は、２次結像レンズである。２０は、焦点検出用センサー（ＡＦセンサー）である。この焦点検出用センサー２０は、例えばＣＭＯＳやＣＣＤといったエリアの蓄積型光電変換素子から構成されている。そして、焦点検出用センサー２０は、図２に示すように、絞り１８の２つの開口部１８Ａ及び１８Ｂに対応して２つの受光センサー群２０Ａ及び２０Ｂが形成されており、各受光センサー群には、２次元行列状に複数の受光センサー部２０ｐが構成されている。また、焦点検出用センサー２０には、受光センサー群２０Ａ及び２０Ｂに加えて、信号蓄積部や信号処理用の周辺回路などが同一チップ上に集積回路として形成されている。
【００１７】
なお、第１の反射ミラー１４から焦点検出用センサー２０までの構成は、例えば特許文献３等に詳細に記載されているように、撮影画面内の任意の位置における像ずれ方式での焦点検出を可能とするものである。
【００１８】
カメラ本体１において、２１は、拡散性を有するピント板である。２２は、ペンタプリズムである。２３は、接眼レンズである。２４は、集光レンズである。２５は、被写体の輝度に関する情報を得るための測光用センサー（ＡＥセンサー）である。この測光用センサー２５は、例えばシリコンフォトダイオード等の光電変換素子から構成され、図３に例示するように、２次元行列状に複数の受光センサー部２５ｐを有した構成となっており、撮影画面の略全体を視野としている。図３に示す例では、測光用センサー２５の受光視野内に対して、７列×５行＝３５個の受光センサー部２５ｐが形成されている。ここで、３５個の各受光センサー部２５ｐに対しては、ＰＤ１〜ＰＤ３５と呼ぶこととする。なお、この測光用センサー２５には、受光センサー部２５ｐ以外に、信号増幅部や信号処理用の周辺回路などが同一チップ上に集積回路として形成されている。
【００１９】
ピント板２１、ペンタプリズム２２及び接眼レンズ２３によってファインダー光学系が構成される。測光用センサー２５には、主ミラー１３によって反射されてピント板２１によって拡散された光線のうち、光軸外の一部の光線が入射する。
【００２０】
２６は、液晶パネル或いはＬＥＤ表示アレイなどで構成される情報表示器であり、被写体の撮影に係る撮影情報を表示する。具体的に、情報表示器２６には、シャッター速度、絞り値、露出補正値、ＡＥロックの有無、測距エリア等の撮影情報が表示可能となっている。２７は、プリズムであり、情報表示器２６の表示情報は、プリズム２７によって反射されてペンタプリズム２２に入り、接眼レンズ２３を通して撮影者の視野に入る。
【００２１】
４７は、ＴＦＴ液晶パネル或いは有機ＥＬパネルなどによって構成される画像モニターであり、当該デジタルカメラの動作状態に応じて撮影画像データを表示したり、撮影情報を表示したりする。４８は、撮影者がファインダーを覗いているか否かを判別するための接眼センサーである。即ち、接眼センサー４８は、撮影者がファインダーを覗いた場合に、これを検出する。２８は、レンズ装置２を取り付けるためのマウント部である。２９は、レンズ装置２と情報通信を行うための接点部である。
【００２２】
次いで、レンズ装置２における内部構成について説明する。
レンズ装置２において、３０ａ〜３０ｅは、撮影レンズを構成する各光学レンズである。３１は、絞りである。３２は、カメラ本体１と情報通信を行うための接点部である。３３は、カメラ本体１に取り付けるためのマウント部である。
【００２３】
図４は、本発明の実施形態に係るデジタルカメラ（撮像装置）において、カメラ本体１を背面側から見た外観図である。ここで、図４には、主として、撮影者が操作する操作部材等の配置を示している。また、図１に示した構成部と同様の構成については、同様の符号を付している。
【００２４】
図４において、接眼レンズ２３及び画像モニター４７は、図１に示したものと同じである。また、接眼センサー４８も図１に示したものと同様であるが、更に詳細には、接眼センサー４８は、投光部４８ａ及び受光部４８ｂを含み構成されている。４９ａは、ＡＥロックスイッチである。４９ｂは、測距エリア選択スイッチである。４９ｃは、撮影画像再生スイッチである。４９ｄは、レリーズスイッチである。５０は、電子ダイアルである。なお、デジタルカメラの動作モードに対する各スイッチ等の機能の遷移については、後に詳しく説明する。
【００２５】
図５は、本発明の実施形態に係るデジタルカメラ（撮像装置）の主として電気的な構成を示すブロック図である。図５には、カメラ本体１及びレンズ装置２のそれぞれの電気的な構成を表わすブロック図が示されている。
【００２６】
まず、カメラ本体１における電気的な構成について説明する。
４１は、例えば内部に、ＡＬＵ４１ｃ、ＲＯＭ４１ｄ、ＲＡＭ４１ｅやＡ／Ｄコンバータ４１ａ、タイマー４１ｂ、シリアル通信ポート（ＳＰＩ）４１ｆ等を内蔵したワンチップマイクロコンピュータから構成されるカメラ制御部である。このカメラ制御部４１は、当該デジタルカメラにおける機構等の全体制御を行う。
【００２７】
焦点検出用センサー２０及び測光用センサー２５は、図１等に記載したものと同様である。また、焦点検出用センサー２０及び測光用センサー２５からの出力信号は、カメラ制御部４１のＡ／Ｄコンバータ４１ａの入力端子に入力される。
【００２８】
４２は、シャッター駆動回路であり、カメラ制御部４１の出力端子に接続されており、メカニカルシャッター１０を駆動する。４３は、信号処理回路であり、カメラ制御部４１の指示に従って撮像素子１２を制御して、撮像素子１２が出力する撮像信号をＡ／Ｄ変換しながら入力して信号処理を行い、画像信号（画像データ）を得る。また、信号処理回路４３は、得られた画像信号（画像データ）に対して必要な画像処理を行ったり、画像モニター４７に画像データや撮影情報を表示することもできる。
【００２９】
４４は、フラッシュＲＯＭ等の不揮発性メモリ又は光ディスク等から構成される記憶部であり、撮像素子１２で撮像された画像信号（画像データ）を記憶する。４５は、第１のモータードライバであり、カメラ制御部４１の出力端子に接続されている。この第１のモータードライバ４５は、カメラ制御部４１の出力制御信号に基づいて第１のモーター４６を駆動し、主ミラー１３及び第１の反射ミラー１４のアップ・ダウンを行う。
【００３０】
２６は、図１に示した情報表示器であり、カメラ制御部４１の出力制御信号に応じて各セグメントが点灯制御される。４８は、図１及び図４に示した接眼センサーであり、カメラ制御部４１からの出力制御信号に応じて投光部４８ａから赤外光の投光を行い、その反射光の強度を受光部４８ｂで検出して、その検出出力をカメラ制御部４１に出力する。
【００３１】
仮に、撮影者がファインダー即ち接眼レンズ２３を覗いているとすると、接眼センサー４８に撮影者の顔が近接していることになり、投光部４８ａにより投光された赤外光が強い強度で反射されて受光部４８ｂに入射する。しかしながら、撮影者がファインダー即ち接眼レンズ２３を覗いていないとすると、接眼センサー４８に撮影者の顔が近接していないことになり、投光部４８ａにより投光された赤外光は殆ど反射されず、受光部４８ｂへの入射光量は極少量となる。このようにして、カメラ制御部４１は、接眼センサー４８における受光部４８ｂの出力信号により、撮影者が接眼しているか否か、即ち撮影者がファインダーを覗いているか否かを判別することができる。
【００３２】
４９は、図４に示した、ＡＥロックスイッチ４９ａ、測距エリア選択スイッチ４９ｂ、撮影画像再生スイッチ４９ｃ及びレリーズスイッチ４９ｄの各種スイッチである。５０は、図４に示した電子ダイアルである。２９は、図１に示した接点部であり、カメラ制御部４１のシリアル通信ポート（ＳＰＩ）４１ｆと接続されている。
【００３３】
次いで、レンズ装置２における電気的な構成について説明する。
５１は、例えば内部に、ＡＬＵ５１ｂ、ＲＯＭ５１ｃ、ＲＡＭ５１ｄやタイマー５１ｅ、シリアル通信ポート（ＳＰＩ）５１ａ等を内蔵したワンチップマイクロコンピュータから構成されるレンズ制御部である。
【００３４】
５２は、第２のモータードライバであり、レンズ制御部５１の出力端子に接続されている。この第２のモータードライバ５２は、レンズ制御部５１の出力制御信号に基づいて、焦点調節を行うための第２のモーター５３を駆動する。５４は、第３のモータードライバであり、レンズ制御部５１の出力端子に接続されている。この第３のモータードライバ５４は、レンズ制御部５１の出力制御信号に基づいて、図１に示した絞り３１の制御を行うための第３のモーター５５を駆動する。
【００３５】
５６は、焦点調節レンズの繰り出し量、即ち被写体までの距離に関する情報を得るための距離検出部（距離エンコーダー）であり、レンズ制御部５１の入力端子に接続されている。５７は、レンズ装置２がズームレンズである場合に、撮影時の焦点距離情報を得るためのズーム検出部（ズームエンコーダー）であり、レンズ制御部５１の入力端子に接続されている。３２は、図１に示した接点部であり、レンズ制御部５１のシリアル通信ポート（ＳＰＩ）５１ａと接続されている。
【００３６】
レンズ装置２がカメラ本体１に装着されると、接点部３２と接点部２９とが接続され、レンズ制御部５１は、カメラ本体１側のカメラ制御部４１とデータ通信が可能となる。カメラ本体１のカメラ制御部４１が焦点検出や露出演算を行うために必要なレンズ固有の光学的な情報や、距離検出部５６による被写体距離に関する情報、或いはズーム検出部５７による焦点距離情報、レンズ装置２の機能や仕様に関する情報は、レンズ制御部５１からカメラ本体１のカメラ制御部４１へデータ通信によって出力される。
【００３７】
また、カメラ本体１のカメラ制御部４１が焦点検出や露出演算を行った結果求められた焦点調節情報や絞り情報は、カメラ本体１のカメラ制御部４１からレンズ制御部５１へデータ通信によって出力される。そして、レンズ制御部５１は、焦点調節情報に従って第２のモータードライバ５２を制御し、絞り情報に従って第３のモータードライバ５４を制御する。
【００３８】
次に、本発明の実施形態に係るデジタルカメラ（撮像装置）の具体的な動作について説明する。
図６は、本発明の実施形態に係るデジタルカメラ（撮像装置）の各動作モードにおける遷移を示す模式図である。また、図７は、本発明の実施形態に係るデジタルカメラ（撮像装置）の各動作モードにおける各操作部材並びに表示部材の機能を示す図である。
【００３９】
本実施形態のデジタルカメラにおいて、不図示の電源スイッチがオンされてカメラ制御部４１が動作可能となると、図６に示すように、まず、デジタルカメラの動作モードは、被写体の撮影を行う「撮影モード（第２の動作モード）」となる。
【００４０】
この「撮影モード」における各操作部材の機能及び各表示部材の機能を、図７に従って説明する。
撮影モードにおいて、スイッチ４９ａは、ＡＥロックスイッチとして機能する。カメラ制御部４１は、撮影モード時にスイッチ４９ａが押されたことを検出すると、測光用センサー２５の出力信号をＡＤ変換し、レンズ制御部５１と通信することで得られる露出演算に必要なレンズ情報を加味して、所定のアルゴリズムにより露出値を算出する。そして、カメラ制御部４１は、露出値を算出してシャッター速度並びに絞り値を決定すると、これらの情報を情報表示器２６において表示させる。
【００４１】
図８は、情報表示器２６のセグメント構成例を示す概略図である。
例えば、図８に示す「７ＳＥＧ−１」のグループによってシャッター速度を表示することができ、また、「７ＳＥＧ−２」のグループによって絞り値を表示することができる。また、例えば、ＡＥロック動作が行われた場合には「ＳＥＧ−ＡＥＬ」を点灯し、所定の時間内或いは再度ＡＥロック操作が行われるまでは同じ露出値を保持する。
【００４２】
撮影モードにおいて、スイッチ４９ｂは、測距エリア選択スイッチとして機能する。よって、カメラ制御部４１は、撮影モード時にスイッチ４９ｂが押されたことを検出すると、測距エリア選択受け付け状態となり、ダイアル５０の回転を検出することで測距エリアの切り替えが行われる。ここで、選択された測距エリアがどこであるかは、例えば、図８に示す情報表示器２６の「ＳＥＧ−ＡＦＡ」グループにおいて表示される。図８の「ＳＥＧ−ＡＦＡ」のグループには、撮影画面内に７箇所の測距エリアが設けられている場合を表している。
【００４３】
撮影モードにおいて、スイッチ４９ｃは、画像再生スイッチとして機能する。よって、カメラ制御部４１は、撮影モード時にスイッチ４９ｃが押されたことを検出すると、既に撮影されて記憶部４４に記憶されている撮影済み画像データを画像モニター４７に表示するように信号処理回路４３に指示を出す。この処理を実行するとともに、カメラ制御部４１は、図６及び図７に示すように当該デジタルカメラの動作モードを「再生モード（第１の動作モード）」に移行する。この「再生モード」についての説明は後述する。
【００４４】
撮影モードにおいて、スイッチ４９ｄは、撮影動作開始スイッチとして機能する。よって、カメラ制御部４１は、撮影モード時にスイッチ４９ｄが押されたことを検出すると、既知の撮影動作を行う。
【００４５】
撮影モードにおいて、ダイアル５０は、撮影情報を変更するための操作部材として機能する。よって、カメラ制御部４１は、撮影モード時にダイアル５０の操作により発生するパルス信号をカウントして、そのカウント値に応じてシャッター速度、絞り値或いは露出補正値といった撮影情報を変更する。これらの撮影情報は、図８に示す情報表示器２６により表示される。具体的に、例えば、シャッター速度は「７ＳＥＧ−１」のグループにより表示され、絞り値は「７ＳＥＧ−２」のグループにより表示され、露出補正値は「７ＳＥＧ−３」のグループにより表示される。
【００４６】
撮影モードにおいて、接眼センサー４８の検出出力は、画像モニター４７による撮影情報の表示の消灯及び点灯を切り替えるために使われる。撮影モードにおいて、画像モニター４７は、情報表示器２６に類似した撮影情報を表示する。しかしながら、撮影モード時に画像モニター４７において撮影情報を表示するのは、接眼センサー４８により撮影者がファインダーを覗いていないことを検出した場合、即ち接眼検出無しの場合に限定される。よって、カメラ制御部４１は、撮影モード時に接眼センサー４８による接眼検出が無しの場合には、撮影情報を画像モニター４７に表示するように信号処理回路４３に指示を出す。一方、カメラ制御部４１は、撮影モード時に接眼センサー４８による接眼検出が有りの場合には、画像モニター４７を消灯するように信号処理回路４３に指示を出す。
【００４７】
また、撮影動作開始スイッチ４９ｄが操作されて撮影動作が行われた直後に、撮影画像の確認表示を所定時間だけ行う場合がある。この場合、カメラ制御部４１は、撮影動作の最後において、直前に撮影した撮影画像データを画像モニター４７に表示するように信号処理回路４３に指示を出す。
【００４８】
撮影モードにおいて、情報表示器２６は、上記説明したように、露出値などの各種の撮影情報を表示するようにカメラ制御部４１から表示制御される。
【００４９】
図６に示すように、撮影モードから他のモードへの移行は、前述した画像再生スイッチ４９ｃの操作による再生モードへのモード移行が存在する。
【００５０】
次に、「再生モード」における各操作部材の機能及び各表示部材の機能を、図７に従って説明する。
再生モードにおいて、スイッチ４９ａは、縮小表示スイッチとして機能する。よって、カメラ制御部４１は、再生モード時にスイッチ４９ａが押されたことを検出すると、再生表示されている撮影済み画像の縮小表示制御を行う。具体的に、カメラ制御部４１は、再生モード時にスイッチ４９ａが押されたことを検出すると、まず、既に撮影されて記憶部４４に記憶されている撮影済み画像データのうち、画像モニター４７に表示中の画像に係る画像データを縮小リサイズする。そして、カメラ制御部４１は、当該縮小リサイズした画像データに基づく画像を再度画像モニター４７に表示し直すように信号処理回路４３に指示を出す。但し、既に所定の最小縮小表示となっている場合にはそれ以上の縮小表示は行わない。
【００５１】
再生モードにおいて、スイッチ４９ｂは、拡大表示スイッチとして機能する。よって、カメラ制御部４１は、再生モード時にスイッチ４９ｂが押されたことを検出すると、再生表示されている撮影済み画像の拡大表示制御を行う。具体的に、カメラ制御部４１は、再生モード時にスイッチ４９ａが押されたことを検出すると、まず、既に撮影されて記憶部４４に記憶されている撮影済み画像データのうち、画像モニター４７に表示中の画像に係る画像データを拡大リサイズする。そして、カメラ制御部４１は、当該拡大リサイズした画像データに基づく画像を再度画像モニター４７に表示し直すように信号処理回路４３に指示を出す。但し、既に所定の最大拡大表示となっている場合にはそれ以上の拡大表示は行わない。
【００５２】
再生モードにおいて、スイッチ４９ｃは、画像再生停止スイッチとして機能する。よって、カメラ制御部４１は、再生モード時にスイッチ４９ｃが押されたことを検出すると、撮影済み画像の画像モニター４７への表示、即ち再生を停止し、画像モニター４７を消灯状態にするように信号処理回路４３に指示を出す。この処理を実行するとともに、カメラ制御部４１は、図６及び図７に示すように当該デジタルカメラの動作モードを先述した「撮影モード」に移行する。
【００５３】
再生モードにおいて、スイッチ４９ｄは、再生モードにおいても撮影動作開始スイッチとして機能する。よって、カメラ制御部４１は、再生モード時にスイッチ４９ｄが押されたことを検出すると、撮影済み画像の画像モニター４７への表示、即ち再生を停止し、画像モニター４７を消灯状態にするように信号処理回路４３に指示を出す。この処理を実行するとともに、カメラ制御部４１は、図６及び図７に示すように当該デジタルカメラの動作モードを先述した「撮影モード」に移行するとともに、引き続き既知の撮影動作を行う。
【００５４】
再生モードにおいて、ダイアル５０は、再生画像を変更するための操作部材として機能する。カメラ制御部４１は、再生モード時にダイアル５０の操作により発生するパルス信号をカウントする。そして、そのカウント値に応じて既に撮影されて記憶部４４に記憶されている撮影済み画像データのうち、画像モニター４７に表示する画像に係る画像データを順次他の画像に切り替えて、再度画像モニター４７に表示し直すように信号処理回路４３に指示を出す。但し、撮影済み画像データが１駒しか記憶部４４に記憶されていない場合には、他の画像データに切り替えることはしない。
【００５５】
再生モードにおいて、接眼センサー４８の検出出力は、後述する「撮影優先再生モード（第３の動作モード）」に移行するか否かの判別に使われる。具体的に、カメラ制御部４１は、再生モードにおいて、接眼センサー４８の検出出力が接眼有りを検出すると、「撮影優先再生モード」に移行する制御を行う。
【００５６】
再生モードにおいて、画像モニター４７は、上述したように記憶部４４に記憶されている撮影済み画像データを表示するように信号処理回路４３から制御される。
【００５７】
再生モードにおいて、情報表示器２６は、常に全セグメントを消灯表示するようにカメラ制御部４１から表示制御される。
【００５８】
図６に示すように、再生モードから撮影モードには、前述した画像再生スイッチ４９ｃの操作による再生中止動作、並びに撮影動作開始スイッチ４９ｄの操作による再生中止及び撮影動作実行によって移行が行われる。その他に、再生モードにおいて、接眼センサー４８の検出出力が接眼有りを検出した場合に、撮影優先再生モードに移行が行われる。
【００５９】
次に、「撮影優先再生モード」における各操作部材の機能及び各表示部材の機能を、図７に従って説明する。なお、「撮影優先再生モード」に移行すると、カメラ制御部４１は、再生モードにおいては全消灯となっていた情報表示器２６において撮影のために既に設定されているシャッター速度、絞り値などの各種撮影情報を点灯開始するように表示制御する。
【００６０】
撮影優先再生モードにおいて、スイッチ４９ａは、撮影モード時と同様にＡＥロックスイッチとして機能する。そして、図６に示すように、スイッチ４９ａの操作受け付けにより直ちに撮影モードに移行する。
【００６１】
具体的に、カメラ制御部４１は、撮影優先再生モード時にスイッチ４９ａが押されたことを検出すると、まず信号処理回路４３に対して撮影済み画像を画像モニター４７に表示するのを停止して、画像モニター４７を消灯させる。続いて、カメラ制御部４１は、測光用センサー２５の出力信号をＡＤ変換し、レンズ制御部５１と通信することで得られる露出演算に必要なレンズ情報を加味して、所定のアルゴリズムにより露出値を算出する。続いて、カメラ制御部４１は、露出値を算出してシャッター速度並びに絞り値を決定すると、これらの情報を情報表示器２６において表示させ、以後は前述した撮影モードにおけるＡＥロック状態になる。
【００６２】
撮影優先再生モードにおいて、スイッチ４９ｂは、撮影モード時と同様に測距エリア選択スイッチとして機能する。そして、図６に示すように、スイッチ４９ｂの操作受け付けにより直ちに撮影モードに移行する。
【００６３】
具体的に、カメラ制御部４１は、撮影優先再生モード時にスイッチ４９ａが押されたことを検出すると、まず信号処理回路４３に対して撮影済み画像を画像モニター４７に表示するのを停止して、画像モニター４７を消灯させる。続いて、カメラ制御部４１は、測距エリア選択受け付け状態となり、以後は前述した撮影モードにおける測距エリア選択受け付け状態になる。
【００６４】
撮影優先再生モードにおいて、スイッチ４９ｃは、画像再生停止スイッチとして機能する。そして、図６に示すように、スイッチ４９ｃの操作受け付けにより直ちに撮影モードに移行する。よって、カメラ制御部４１は、撮影優先再生モード時にスイッチ４９ｃが押されたことを検出すると、撮影済み画像を画像モニター４７に表示することを停止して、画像モニター４７を消灯状態にするように信号処理回路４３に指示を出す。この処理を実行するとともに、カメラ制御部４１は、前述した撮影モードに移行する制御を行う。
【００６５】
撮影優先再生モードにおいて、スイッチ４９ｄは、撮影動作開始スイッチとして機能する。よって、カメラ制御部４１は、撮影優先再生モード時にスイッチ４９ｄが押されたことを検出すると、撮影済み画像を画像モニター４７に表示することを停止して画像モニター４７を消灯状態にするように信号処理回路４３に指示を出す。そして、カメラ制御部４１は、撮影モードに移行する制御を行うとともに、引き続き既知の撮影動作を行う。
【００６６】
撮影優先再生モードにおいて、ダイアル５０は、撮影モード時と同様に撮影情報を変更するための操作部材として機能する。そして、このダイアル５０が操作されると、撮影モードに移行する。よって、カメラ制御部４１は、撮影優先再生モード時にダイアル５０の操作を検出すると、まず撮影済み画像を画像モニター４７に表示することを停止し、画像モニター４７を消灯状態にするように信号処理回路４３に指示を出す。その後、カメラ制御部４１は、撮影モードに移行させ、ダイアル５０の操作により発生するパルス信号をカウントして、そのカウント値に応じてシャッター速度、絞り値或いは露出補正値といった撮影情報を変更する。そして、カメラ制御部４１は、これら更新された撮影情報を情報表示器２６に表示する制御を行う。
【００６７】
撮影優先再生モードにおいて、接眼センサー４８の検出出力は、撮影優先再生モードを継続するか再生モードに移行するかの判別に使われる。具体的に、撮影優先再生モードにおいて、カメラ制御部４１は、接眼センサー４８が接眼無しを検出した場合には、再生モードに移行する制御を行う。この場合、カメラ制御部４１は、撮影優先再生モードにおいては情報表示器２６において各種撮影情報を点灯するように表示制御していたものを全て消灯するように表示制御し、以後は、前述した再生モードにおける制御を行う。撮影優先再生モードにおいて、画像モニター４７は、当該撮影優先再生モードに移行直前に再生モードで再生していた撮影済み画像を継続表示していて、変化はしない。
【００６８】
図６に示すように、撮影優先再生モードから撮影モードには、前述したＡＥロックスイッチ４９ａ、測距エリア選択スイッチ４９ｂ、画像再生スイッチ４９ｃ、撮影動作開始スイッチ４９ｄ及びダイヤル５０の操作により移行が行われる。その他に、撮影優先再生モードにおいて、接眼センサー４８の検出出力が接眼無しを検出した場合に、再生モードに移行が行われる。
【００６９】
以上説明したように、本実施形態に係るデジタルカメラ（撮像装置）は、被写体の光学像を観察するための接眼レンズ２３等からなるファインダーと、被写体の光学像を画像データとして撮像する撮像素子（撮像手段）１２と、画像データを表示する画像表示モニター（画像表示手段）４７と、ファインダーに物体が接近したことを検出する接眼センサー（検出手段）４８と、撮影した画像データを画像表示モニター４７に再生する再生モード（第１の動作モード）時に、接眼センサー４８によってファインダーへの物体の接近を検出した場合に、被写体の撮影を行う撮影モード（第２の動作モード）とは異なる撮影優先再生モード（第３の動作モード）に移行する制御を行うカメラ制御部（制御手段）４１を有して構成されている。
かかる構成によれば、撮影済み画像の再生中に、例えば撮影者がファインダーを覗いたり手でひさしを作った場合においても、撮影モードに移行して再生中の画像が非表示となってしまう欠点を排除することができる。即ち、本実施形態に係る撮像装置によれば、当該撮像装置における動作モードを、撮影者の使用状態に応じて最適に設定することが可能となる。
【００７０】
また、本実施形態に係る撮像装置は、再生モード時と撮影モード時とで、その機能が切り替わる操作手段（ＡＥロックスイッチ４９ａ、測距点選択スイッチ４９ｂ、ダイアル５０）を更に有している。そして、カメラ制御部４１は、撮影優先再生モード時には、画像表示モニター４７に画像データを再生すると共に、前記操作手段（ＡＥロックスイッチ４９ａ、測距点選択スイッチ４９ｂ、ダイアル５０）を撮影モード時と同じ機能に設定する制御を行う。
かかる構成によれば、撮影済み画像の再生中に、例えば撮影者が撮影のためにファインダーを覗いた場合には、その後に撮影動作に対して特別な操作を必要とせずに撮影モードに移行することができる。
【００７１】
また、本実施形態に係る撮像装置において、カメラ制御部４１は、撮影優先再生モード時に、前記操作手段（ＡＥロックスイッチ４９ａ、測距点選択スイッチ４９ｂ、ダイアル５０）の操作が行われた場合、撮影モードに移行する制御を行う。
かかる構成によれば、撮影済み画像の再生中に、例えば撮影者が撮影のためにファインダーを覗いた場合には、その後に撮影動作に対して特別な操作を必要とせずに撮影モードに移行することができる。
【００７２】
また、本実施形態に係る撮像装置は、被写体の撮影に係る撮影情報を表示する情報表示器２６を更に有している。そして、カメラ制御部４１は、撮影優先再生モード時には、情報表示器２６による前記撮影情報の表示制御を行う。
かかる構成によれば、撮影済み画像の再生中に、例えば撮影者が撮影のためにファインダーを覗いた場合には、その後に撮影動作における必要な情報を特別な操作を行うことなく表示することができる。
【００７３】
また、本実施形態に係る撮像装置において、カメラ制御部４１は、撮影優先再生モード時に、接眼センサー４８によってファインダーへの物体の接近を検出できない場合に、再生モードに移行する制御を行う。
かかる構成によれば、撮影済み画像の再生中に、例えば撮影者がファインダー像との比較を行うためにファインダーを覗いた場合には、撮影モードに移行することなく、引き続き撮影済み画像の再生状態を継続することができる。
【００７４】
前述した本実施形態に係る撮像装置を構成する図１〜図５の各手段、並びに撮像装置の制御方法を示した図６及び図７の各動作モードにおける各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００７５】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【００７６】
また、コンピュータが供給されたプログラムを実行することにより本実施形態に係る撮像装置の機能が実現されるだけでなく、そのプログラムがコンピュータにおいて稼働しているＯＳ（オペレーティングシステム）或いは他のアプリケーションソフト等と共同して本実施形態に係る撮像装置の機能が実現される場合や、供給されたプログラムの処理の全て、或いは一部がコンピュータの機能拡張ボードや機能拡張ユニットにより行われて本実施形態に係る撮像装置の機能が実現される場合も、かかるプログラムは本発明に含まれる。
【図面の簡単な説明】
【００７７】
【図１】本発明の実施形態に係るデジタルカメラ（撮像装置）の主として光学的な構成を示す概略断面図である。
【図２】焦点検出用センサーの構成例を示す概略図である。
【図３】測光用センサーの構成例を示す概略図である。
【図４】本発明の実施形態に係るデジタルカメラ（撮像装置）において、カメラ本体を背面側から見た外観図である。
【図５】本発明の実施形態に係るデジタルカメラ（撮像装置）の主として電気的な構成を示すブロック図である。
【図６】本発明の実施形態に係るデジタルカメラ（撮像装置）の各動作モードにおける遷移を示す模式図である。
【図７】本発明の実施形態に係るデジタルカメラ（撮像装置）の各動作モードにおける各操作部材並びに表示部材の機能を示す図である。
【図８】情報表示器のセグメント構成例を示す概略図である。
【符号の説明】
【００７８】
１：カメラ本体
２：レンズ装置
１０：メカニカルシャッター
１１：ローパスフィルター
１２：撮像素子
１３：主ミラー
１４：第１の反射ミラー
１５：近軸的結像面
１６：第２の反射ミラー
１７：赤外カットフィルター
１８、３１：絞り
１８Ａ、１８Ｂ：開口部
１９：２次結像レンズ
２０：焦点検出用センサー（ＡＦセンサー）
２０Ａ、２０Ｂ：受光センサー群
２０ｐ：受光センサー部
２１：ピント板
２２：ペンタプリズム
２３：接眼レンズ
２４：集光レンズ
２５：測光用センサー（ＡＥセンサー）
２５ｐ：受光センサー部
２６：情報表示器
２７：プリズム
２８、３３：マウント部
２９、３２：接点部
３０ａ〜３０ｅ：光学レンズ
４１：カメラ制御部
４２：シャッター駆動回路
４３：信号処理回路
４４：記憶部
４５：第１のモータードライバ
４６：第１のモーター
４７：画像モニター
４８：接眼センサー
４８ａ：投光部
４８ｂ：受光部
４９ａ〜４９ｄ：各種の操作スイッチ
５０：ダイアル
５１：レンズ制御部
５２：第２のモータードライバ
５３：第２のモーター
５４：第３のモータードライバ
５５：第３のモーター
５６：距離検出部（距離エンコーダー）
５７：ズーム検出部（ズームエンコーダー）
【図１】
0004764263.tif 000002
【図２】
0004764263.tif 000003
【図３】
0004764263.tif 000004
【図４】
0004764263.tif 000005
【図５】
0004764263.tif 000006
【図６】
0004764263.tif 000007
【図７】
0004764263.tif 000008
【図８】
0004764263.tif 000009